(57)【要約】【課題】電子型グランドピアノの生産途中においても電気回路全体の動作チェックを容易に実行できるようにする。【解決手段】複数の鍵５２と、該鍵５２に対する操作に応じて駆動されるアクション部と、該アクション部の動作に応じて発音処理を行う電気回路ユニット２０と有する電子型グランドピアノにおいて、電気回路ユニット２０の外縁に平行に固着された長尺状の一対のスライド部２２と、このスライド部２２が遊挿されるように楽器本体の所定箇所に平行に設けられ、一対のスライド部が遊挿されることによって発音部を楽器本体に対してスライド可能に支持する一対のガイド部２３と、電気回路ユニット２０の所定のスライド位置において、該電気回路ユニット２０を楽器本体に固定する固定手段（５１ａ，５１ｂ，７０，７２）とを設けた。【選択図】  図３
2004264748.tif 000002
【特許請求の範囲】
【請求項１】
楽器本体と、該楽器本体に配設された複数の鍵と、前記鍵に対する操作に応じて駆動されるアクション部と、前記アクション部の動作に応じて発音処理を行う発音部と有する鍵盤楽器の構造において、
前記発音部の外縁に平行に固着された長尺状の一対のスライド部と、
前記スライド部が遊挿されるように前記楽器本体の所定箇所に平行に設けられ、前記一対のスライド部が遊挿されることによって前記発音部を前記楽器本体に対してスライド可能に支持する一対のガイド部と、
前記発音部の所定のスライド位置において、該発音部を前記楽器本体に固定する固定手段と
を有することを特徴とする鍵盤楽器の構造。
【請求項２】
前記各ガイド部は、平行に設けられた２枚の平板の各一辺を他の平板を介して固着して断面がクランク状になるように形成されるとともに該平行に設けられた一方の平板部分が前記楽器本体に固定され、
前記スライド部は、前記ガイド部の平行に設けられた他方の平板部分と前記楽器本体との間の空間内に遊挿可能に構成されていることを特徴とする請求項１記載の鍵盤楽器の構造。
【発明の詳細な説明】
【０００１】
【発明の属する技術分野】
本発明は、電子型グランドピアノ等に用いて好適な鍵盤楽器の構造に関する。
【０００２】
【従来の技術】
従来より、アコースティック・グランドピアノと同様のアクション部を採用することにより、アコースティック・グランドピアノの鍵タッチを実現できる電子ピアノ（電子型グランドピアノ）が知られている（特許文献１，非特許文献１）。かかる電子型グランドピアノにあっては、アクション部の調節が楽器の品質を左右する上で重要な要素になっている。但し、このアクション部はタッチ感を実現するために設けられるものであり、実際の発音は電子的に行われる。すなわち、電子型グランドピアノには、鍵およびハンマーの動作を各々検出する複数のセンサが設けられ、これらセンサの測定結果に応じて、楽音信号が合成される。楽音信号を合成するためには、電源トランス、音源回路等の制御回路、アンプ、スピーカ等の電気回路部品が当然必要である。従来の電子型グランドピアノにおいては、これら電気回路部品は、楽器本体内に個別に取り付けられ、相互に結線されていた。
【０００３】
【特許文献１】特開平９−１７９５４５号公報
【非特許文献１】「ＧＤＰ−２ＸＧ  電子型グランドピアノ取扱説明書」ヤマハ株式会社，  平成１２年
【０００４】
【発明が解決しようとする課題】
しかし、上述した電子型グランドピアノにおいては、電気回路全体が完成するためには電子型グランドピアノの本体が概ね完成していなければならなかった。このため、生産途中において電源トランス、音源回路、個々のパーツ毎の動作チェックは容易に行うことができるが、電気回路全体として動作チェックを行うことが困難であった。また、電源トランス等の重量物を楽器に下側から組み付ける際には、決められた位置で支えながら組み付ける必要があり、作業性が悪かった。このため、一人で作業する際には危険が伴い、安全に作業するためには、複数人で作業する必要があった。
この発明は上述した事情に鑑みてなされたものであり、電子型グランドピアノ等の生産途中においても電気回路全体の動作チェックを容易に実行でき、高い作業性を実現できる鍵盤楽器の構造を提供することを目的としている。
【０００５】
【課題を解決するための手段】
上記課題を解決するため本発明にあっては、下記構成を具備することを特徴とする。なお、括弧内は例示である。
請求項１記載の鍵盤楽器の構造にあっては、楽器本体（５０）と、該楽器本体に配設された複数の鍵（５２）と、前記鍵に対する操作に応じて駆動されるアクション部（６２）と、前記アクション部（６２）の動作に応じて発音処理を行う発音部（２０）と有する鍵盤楽器の構造において、前記発音部（２０）の外縁に平行に固着された長尺状の一対のスライド部（２２）と、前記スライド部（２２）が遊挿されるように前記楽器本体の所定箇所に平行に設けられ、前記一対のスライド部が遊挿されることによって前記発音部を前記楽器本体に対してスライド可能に支持する一対のガイド部（２３）と、前記発音部の所定のスライド位置において、該発音部（２０）を前記楽器本体（５０）に固定する固定手段（５１ａ，５１ｂ，７０，７２）とを有することを特徴とする。
さらに、請求項２記載の構成にあっては、請求項１記載の鍵盤楽器の構造において、前記各ガイド部（２３）は、平行に設けられた２枚の平板の各一辺を他の平板を介して固着して断面がクランク状になるように形成されるとともに該平行に設けられた一方の平板部分が前記楽器本体（５０）に固定され、前記スライド部（２２）は、前記ガイド部（２３）の平行に設けられた他方の平板部分と前記楽器本体（５０）との間の空間内に遊挿可能に構成されていることを特徴とする。
【０００６】
【発明の実施の形態】
１．実施形態の構成および動作
次に、本発明の一実施形態の電子型グランドピアノの全体構成を図１，２を参照し説明する。
図１において５０は本体部であり、その上部には複数の鍵５２が配列されている。各鍵５２は、バランスピン５６によって揺動自在に支持され、その前方部下面には平板状のキーシャッタ５５が下方に突出するように固着されている。５４はキーセンサユニットであり、押鍵時のキーシャッタ５５を挟む位置に、ＬＥＤと、該ＬＥＤから放射された光を受光するホトダイオードとが配置されている。これにより、キーセンサユニット５４を介して、鍵５２の押鍵深さが検出される。
【０００７】
また、バランスピン５６を介して後方側において、６２はアクション部であり、ハンマー６２ｂおよび鍵５２が操作される際に駆動されるその他各種の部品から構成される。ハンマー６２ｂの柄には、平板状のハンマーシャッタ６２ａが上方に突出するように固着されている。６１はハンマーセンサユニットであり、ハンマー６２ｂが上方に駆動された際におけるハンマーシャッタ６２ａを挟む位置に、ＬＥＤと、該ＬＥＤから放射された光を受光するホトダイオードとが配置されている。これにより、ハンマーセンサユニット６１を介して、ハンマー速度がが検出される。
【０００８】
本体部５０には、その棚板５１の各隅から下方に突出するように４本の支柱８，８，……が固着されており、棚板５１の中央ないし後方部分には、略四角錐台状の電気回路ユニット２０が設けられている。この電気回路ユニット２０の右側面には、各種信号の入出力を行う入出力ユニット２４設けられている。さらに、この電気回路ユニット２０の下面には下方に突出するように２本の支柱１６，１６が固着され、これら支柱１６，１６の下端部分には、３本のペダル１２〜１２を有するペダル部１０が固着されている。
【０００９】
また、図２（ａ）に示すように、電気回路ユニット２０の左右の側面の上辺には、電気回路ユニット２０の前方から後方に向かって延在する、長尺直方体状のスライド部２２，２２が形成されている。そして、両スライド部２２，２２の前端および中央部分には、雄ネジが挿通される貫通孔２２ａ，……，２２ａが計４ヶ所形成されている。また、両スライド部２２，２２の後端部分には、雄ネジに突き当たり該雄ネジによって掛止される切欠部２２ｂ，２２ｂが形成されている。２３，２３はガイド部であり、スライド部２２，２２を左右両側から挟持するように設けられている。
【００１０】
ここで、図２（ｂ）のＡ部における詳細を図３（ａ）を参照し説明する。
図において７４は前後渡し板であり、長尺平板状に形成され、棚板５１の底面の両側端部の前方から後方に向かって延在して固着されている。上述した支柱８，８，……はこの前後渡し板７４を介して棚板５１に固着される。また、棚板５１の下面においては、貫通孔２２ａ，……，２２ａおよび切欠部２２ｂ，２２ｂと等間隔に雌ネジ５１ａ，……，５１ａが形成されている。また、ガイド部２３は断面がクランク状に形成されている。すなわち、ガイド部２３は、平行に設けられた２枚の平板の各一辺を他の平板を介して固着したような形状を有している。そして、平行に設けられた一方の平板部分が前後渡し板７４に衝合されている。棚板５１には、ガイド部２３，２３の取り付け箇所に雌ネジ５１ｂが形成され、雄ネジ７２がガイド部２３、前後渡し板７４を挿通して雌ネジ５１ｂに螺合されることにより、ガイド部２３が棚板５１に固着されている。また、電気回路ユニット２０のスライド部２２は、該ガイド部２３の平行に設けられた他方の平板部分と、棚板５１の下面との間に形成された空間に遊挿される。従って、この遊挿状態においては、スライド部２２，２２をガイド部２３，２３に摺動させつつ電気回路ユニット２０を前後方向にスライドさせることができる。
【００１１】
次に、図２（ａ），（ｂ）に戻り、電気回路ユニット２０の底面には、左右一対のウーハ−２６，２６が開口部を下方に向けて取り付けられており、電気回路ユニット２０の左右一対の正面にはスコーカー２８，２８が開口部を斜め下方に向けて取り付けられている。さらに、電気回路ユニット２０の内部には、電源トランス２５、回路基板２７等、各種の電気部品等が収納され、この電気回路ユニット２０の内部において相互に結線されている。該回路基板２７には、キーセンサユニット５４、ハンマーセンサユニット６１等の検出信号に基づいて演奏情報を生成する演奏情報生成回路、該演奏情報に基づいて楽音信号を発生する音源部等が設けられている。
【００１２】
次に、電気回路ユニット２０の実装方法について図４を参照し説明しておく。最初に、棚板５１の左右の後端に形成された雌ネジ５１ａ，５１ａに雄ネジ７３，７３が軽く螺合され、スライド部２２，２２の端部がガイド部２３，２３に遊挿される（図４（ａ））。次に、電気回路ユニット２０を徐々に奥方向にスライドさせてゆくと（図４（ｂ））、やがてスライド部２２，２２の後端すなわち切欠部２２ｂ，２２ｂの部分が雄ネジ７３，７３に接近してゆく。この状態における詳細を図３（ｂ）に示す。次に、切欠部２２ｂ，２２ｂが雄ネジ７３，７３に突き当たると、電気回路ユニット２０をそれ以上奥にスライドさせることができなくなる。このスライド位置が、電気回路ユニット２０の正しい実装位置である。この位置において、４本の雄ネジ７０，……，７０を４箇所の貫通孔２２ａ，……，２２ａを介して４箇所の雌ネジ５１ａに螺合し、これら雄ネジ７０，……，７０および雄ネジ７３，７３を締めつけると、図３（ａ）に示すように電気回路ユニット２０が棚板５１に固定される。
【００１３】
このように、本実施形態によれば、アクション部６２を含む電子型グランドピアノの本体部５０と、電源トランス２５、回路基板２７、スピーカ２６，２８等を含む電気回路ユニット２０とを別体に構成し、相互に結合できるようにしたため、本体部５０の完成を待たずに電気回路ユニット２０全体の動作チェックを容易に実行することができる。また、スライド部２２，２２をガイド部２３，２３に遊挿することによって電気回路ユニット２０をスライド可能にしたため、本体部５０に電気回路ユニット２０を取り付ける際、重量物である電気回路ユニット２０が誤って落下するような危険を未然に防止することができ、取り付け作業を安全に行うことができる。
【００１４】
２．変形例
本発明は上述した実施形態に限定されるものではなく、例えば以下のように種々の変形が可能である。
（１）上記実施形態においては、ガイド部２３，２３を棚板５１の左右両側面に沿って設け、電気回路ユニット２０を前後方向にスライド可能にしたが、ガイド部２３，２３を棚板５１の前後両側面に沿って設け、これらに遊挿されるようにスライド部２２，２２を構成することにより、電気回路ユニット２０を左右方向にスライド可能にしてもよい。
（２）上記実施形態においては、「発音部」の例として、入出力ユニット２４、電源トランス２５、回路基板２７等を含んだ電気回路ユニット２０を適用した例を説明したが、「発音部」はこれに限定されるものではなく、アクション部の動作に応じて発音処理を行う種々の物によって構成することができる。例えば、スピーカ２６，２８を別体のスピーカボックスに実装した場合は、そのスピーカボックスのみを「発音部」としてとらえることができる。かかる場合には、「発音部」であるスピーカボックスの上下方向に沿ってスライド部２２，２２を固着し、電子型グランドピアノの本体部５０の両側名に上下方向に沿ってガイド部２３，２３を固着し、スライド部２２，２２をガイド部２３，２３に摺動させつつ該スピーカボックスを上から落とし込むようにして本体部５０に取り付けてもよい。
【００１５】
【発明の効果】
以上説明したように本発明によれば、楽器本体と発音部とを別体に構成し、スライド部、ガイド部および固定手段を介して両者を固定できるようにしたため、楽器本体の完成を待たずに発音部の動作チェックを容易に実行することができる。
【図面の簡単な説明】
【図１】本発明の一実施形態の電子型グランドピアノの一部切欠側面図である。
【図２】該電子型グランドピアノの一部切欠平面図および正面図である。
【図３】該電子型グランドピアノの要部の正面図および底面図である。
【図４】電気回路ユニット２０の実装方法を示す動作説明図である。
【符号の説明】
８：支柱、１０：ペダル部、１２：ペダル、１６：支柱、２０：電気回路ユニット（発音部）、２２：スライド部、２２ａ：貫通孔、２２ｂ：切欠部、２３：ガイド部、２４：入出力ユニット、２５：電源トランス、２６：ウーハ−、２７：回路基板、２８：スコーカー、５０：本体部（楽器本体）、５１：棚板、５１ａ：雌ネジ、５１ｂ：雌ネジ、５：２  鍵、５４：キーセンサユニット、５５：キーシャッタ、５６：バランスピン、６１：ハンマーセンサユニット、６２：アクション部、６２ａ：ハンマーシャッタ、６２ｂ：ハンマー、７０，７２，７３：雄ネジ、７４：前後渡し板。
【図１】
2004264748.tif 000003
【図２】
2004264748.tif 000004
【図３】
2004264748.tif 000005
【図４】
2004264748.tif 000006